(57)【要約】      （修正有）【課題】灯具の光線の色温度を変化でき、異なる環境に応じて、適合の色温度を調整できる、色温度変化構造を有する灯具を提供する。【解決手段】灯座１０があり、上記灯座１０は、発光源２０が設けられ、上記発光源２０の前方に、昇降ユニット３０が設置され、上記昇降ユニット３０に、カラーレンズ４０が組立てられ、上記カラーレンズ４０が、上記昇降ユニット３０に連動されて、上記発光源２０の前方から離れる第一位置と上記発光源２０の前方に位置する第二位置とが選択可能であり、上記発光源２０から出射した光線が、直接に、灯具の前方へ投射し、或いは、上記カラーレンズ４０を透過して、色温度が変更されてから、灯具の前方へ投射できる。これにより、異なる環境に応じて、適合の色温度に調整される。【選択図】図２
0003180776.tif 000002
【実用新案登録請求の範囲】
【請求項１】
正面と上記正面に対向して設置される裏面とがあり、上記灯座において、上記正面に、反射槽が形成されて、開口が形成される灯座と、
上記反射槽内に設置される発光源と、
上記灯座に、上記発光源の前方に位置するように設置され、少なくとも一つの駆動部材があり、上記駆動部材に、少なくとも一つの昇降棒が結合される昇降ユニットと、
上記昇降棒に実装され、上記昇降棒に連動されて、上記発光源に対応して、第一位置と第二位置があり、上記第一位置の場合、上記発光源の前方から離れて、上記第二位置の場合、上記発光源の前方に位置するカラーレンズと、
が含有される、
ことを特徴とする色温度変化構造を有する灯具。
【請求項２】
上記昇降ユニットが、上記灯座の正面に設置され、二つの駆動部材があり、上記らの駆動部材が、それぞれ、上記開口の二つの対向する側に位置し、また、各駆動部材に、更に、それぞれ、昇降棒が結合され、上記カラーレンズが、上記らの昇降棒の間に組立てられることを特徴とする請求項１に記載の色温度変化構造を有する灯具。
【請求項３】
上記らの昇降棒の末端に、更に、挟みシートが設けられ、上記らの挟みシートが、それぞれ、上記カラーレンズの二つの対向側に固定されることを特徴とする請求項２に記載の灯具の色温度変化構造。
【請求項４】
上記らの駆動部材の対向側に、それぞれ、摺動槽が設けられ、上記カラーレンズの二つの対向側が、それぞれ、摺動的に、上記らの摺動槽内に設置されることを特徴とする請求項２に記載の色温度変化構造を有する灯具。
【請求項５】
上記昇降ユニットに、更に、上記らの昇降棒の間に跨るように設けられる枠があり、また、上記カラーレンズが、上記枠内に嵌設されることを特徴とする請求項２に記載の色温度変化構造を有する灯具。
【請求項６】
上記昇降ユニットに、更に、上記灯座の正面に固定される固定フレームがあり、また、上記駆動部材が、上記固定フレーム上に組立てられることを特徴とする請求項１や２に記載の色温度変化構造を有する灯具。
【請求項７】
上記駆動部材が、電磁弁であることを特徴とする請求項１に記載の色温度変化構造を有する灯具。
【請求項８】
上記駆動部材が、モーターであって、上記昇降棒が、ウォームであることを特徴とする請求項１に記載の色温度変化構造を有する灯具。
【請求項９】
上記駆動部材が、シリンダーであることを特徴とする請求項１に記載の色温度変化構造を有する灯具。
【考案の詳細な説明】
【技術分野】
【０００１】
本考案は、色温度変化構造を有する灯具に関するものである。
【背景技術】
【０００２】
一般の灯具は、殆ど、灯座を有し、上記灯座の正面に、反射槽が設けられて、開口が形成され、また、上記灯座内に、更に、電球が設置され、これにより、上記電球から発射した光線が、上記反射槽で反射されて集中して、上記開口から出射され、上記灯具の前方に対して、照明を行う。
【０００３】
しかし、異なる色温度の光線は、異なる照明特性を有するため、車両に設置された灯具を例とすれば、色温度が、２３００Ｋ乃至３８００Ｋである場合、上記光線のカラーが、やや黄色い色になり、より良い透過力を有し、雨の日や霧の環境において、より良い照明効果が得られる。  また、色温度が、４２００Ｋよりも高い場合、上記光線のカラーが、白くなり、６０００Ｋ以上の場合、更に、ブルー色になり、上記光線が、より高い輝度を有する視学効果が得られるが、透過力が低減されて、雨の日や霧の環境に適合しないという問題が生ずる。
【０００４】
従って、異なる環境に応じて、適合の色温度に調整できる色温度変化機能付の灯具を研究開発することが必要になる。
【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の目的は、灯具の光線の色温度を変化でき、異なる環境に応じて、適合の色温度を調整できる、色温度変化構造を有する灯具を提供する。
【課題を解決するための手段】
【０００７】
請求項１の考案によれば、正面と上記正面に対向して設置される裏面とがあり、上記灯座において、上記正面に、反射槽が形成されて、開口が形成される灯座と、
上記反射槽内に設置される発光源と、
上記灯座に、上記発光源の前方に位置するように設置され、少なくとも一つの駆動部材があり、上記駆動部材に、少なくとも一つの昇降棒が結合される昇降ユニットと、
上記昇降棒に実装され、上記昇降棒に連動されて、上記発光源に対応して、第一位置と第二位置があり、上記第一位置の場合、上記発光源の前方から離れて、上記第二位置の場合、上記発光源の前方に位置するカラーレンズとが含有されることを特徴とする色温度変化構造を有する灯具が提供される。
【０００８】
請求項２の考案によれば、上記昇降ユニットが、上記灯座の正面に設置され、二つの駆動部材があり、上記らの駆動部材が、それぞれ、上記開口の二つの対向する側に位置し、また、各駆動部材に、更に、それぞれ、昇降棒が結合され、上記カラーレンズが、上記らの昇降棒の間に組立てられることを特徴とする請求項１に記載の色温度変化構造を有する灯具が提供される。
【０００９】
請求項３の考案によれば、上記らの昇降棒の末端に、更に、挟みシートが設けられ、上記らの挟みシートが、それぞれ、上記カラーレンズの二つの対向側に固定されることを特徴とする請求項２に記載の灯具の色温度変化構造が提供される。
【００１０】
請求項４の考案によれば、上上記らの駆動部材の対向側に、それぞれ、摺動槽が設けられ、上記カラーレンズの二つの対向側が、それぞれ、摺動的に、上記らの摺動槽内に設置されることを特徴とする請求項２に記載の色温度変化構造を有する灯具が提供される。
【００１１】
請求項５の考案によれば、上記昇降ユニットに、更に、上記らの昇降棒の間に跨るように設けられる枠があり、また、上記カラーレンズが、上記枠内に嵌設されることを特徴とする請求項２に記載の色温度変化構造を有する灯具が提供される。
【００１２】
請求項６の考案によれば、上記昇降ユニットに、更に、上記灯座の正面に固定される固定フレームがあり、また、上記駆動部材が、上記固定フレーム上に組立てられることを特徴とする請求項１や２に記載の色温度変化構造を有する灯具が提供される。
【００１３】
請求項７の考案によれば、上記駆動部材が、電磁弁であることを特徴とする請求項１に記載の色温度変化構造を有する灯具が提供される。
【００１４】
請求項８の考案によれば、上記駆動部材が、モーターであって、上記昇降棒が、ウォームであることを特徴とする請求項１に記載の色温度変化構造を有する灯具が提供される。
【００１５】
請求項９の考案によれば、上記駆動部材が、シリンダーであることを特徴とする請求項１に記載の色温度変化構造を有する灯具が提供される。
【００１６】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１７】
図１乃至図３は、本考案のより良い実施例である灯具の色温度変化構造１００であり、上記灯具の色温度変化構造１００が、各種類の灯具に適用でき、本実施例において、上記灯具の色温度変化構造１００を、車両用の魚眼灯具に適用し、上記灯具の色温度変化構造１００は、
正面１１と上記正面１１に対向して設置される裏面１２とがあり、上記灯座１０において、上記正面１１に、反射槽１３が形成されて、開口１３１が形成され、また、上記裏面１２に、上記反射槽１３に連通する固定孔１４が貫設される灯座１０と、
上記反射槽１３内に設置され、高輝度放電電球（Ｈｉｇｈ  ｉｎｔｅｎｓｉｔｙ  ｄｉｓｃｈａｒｇｅ、ＨＩＤ）であり、上記灯座１０の固定孔１４に組立てられる発光源２０と、
上記発光源２０の前方に位置するように上記灯座１０に設置され、上記正面１１に固定される固定フレーム３１があり、上記固定フレーム３１に、少なくとも一つの駆動部材３２が組立てられ、上記駆動部材３２に、少なくとも一つの昇降棒３３が結合され、上記駆動部材３２が、電磁弁やシリンダー或いはモーターの何れかの一つであり、上記駆動部材３２がモーターであれば、上記昇降棒３３が、ウォームであり、上記昇降ユニット３０に、二つの駆動部材３２があり、上記らの駆動部材３２が、電磁弁で、それぞれ、上記開口１３１の二つの対向する側に設置され、また、各駆動部材３２に、更に、それぞれ、昇降棒３３が結合され、上記らの昇降棒３３の末端に、それぞれ、挟みシート３４が設けられ、上記昇降棒３３の末端に、リング状に、二つの係止槽３３１が形成され、上記挟みシート３４に、それに対応する、上記係止槽３３１に係止される係止リング３４１が設置されて、上記挟みシート３４が、上記昇降棒３３の末端に固定される昇降ユニット３０と、
上記昇降棒３３に組立てられ、上記昇降棒３３によって連動されて、上記発光源２０に対して、図３のような第一位置と図４にような第二位置が形成され、上記第一位置の場合、上記カラーレンズ４０が、上記発光源２０の前方から離れ、上記第二位置の場合、上記発光源２０の前方に位置し、本実施例において、上記カラーレンズ４０の二つの対向側に、それぞれ、上記らの挟みシート３４に固定されて、上記らの昇降棒３３の間に組立てられるカラーレンズ４０と、
上記昇降ユニット３０の前方に位置するように、上記灯座１０の正面１１に固定される凸レンズ５０と、
が含有される。
【００１８】
図４と図５のように、平常コAの場合、上記カラーレンズ４０が、図３のように、上記第一位置に位置して、上記発光源２０の前方から離れ、ユーザーが、上記発光源２０をオンすると、上記発光源２０から出射した光線が、直接に、上記灯座１０の前方へ投射し、車両の前方に対して、照明効果が得られ、また、ユーザーが、色温度を変更したい時、ユーザーが上記昇降ユニット３０を制御するだけで、上記昇降ユニット３０の駆動部材３２に連動されて上記昇降棒３３が駆動され、上記カラーレンズ４０が、図４のような上記第二位置に変位し、上記発光源２０の前方に位置するため、上記発光源２０から発射した光線が、まず、上記カラーレンズ４０を透過し、これにより、色温度が変化され、また、上記灯座１０前方から投射し、そのため、上記灯具の色温度変化構造１００に、色温度変化機能を有させ、異なる走行環境に応じて、適合な色温度を調整でき、例えば、本実施例において、上記発光源２０に、６５００Ｋの高輝度放電電球が利用され、上記カラーレンズ４０に、黄色い色レンズが利用され、これにより、上記灯具の色温度変化構造１００は、一般走行環境であれば、高い輝度の照明効果が得られ、また、雨や霧の時、ユーザーが、上記カラーレンズ４０を上記第二位置に調整するだけで、上記光線が、上記カラーレンズ４０を透過し、上記カラーレンズ４０によりろ過されて、上記光線が、黄色い色になり、上記光線の透過性が向上されて、走行安全性が向上される効果が得られる。
【００１９】
図６は、本考案の他のより良い実施例であり、上記灯具の色温度変化構造１００は、前記のより良い実施例と、上記らの駆動部材３２の対向側に、それぞれ、摺動槽３２１が設置され、また、上記昇降ユニット３０に、上記らの昇降棒３３の間に跨る枠３５が結合され、上記カラーレンズ４０が、上記枠３５内に嵌設され、また、上記カラーレンズ４０の二つの対向側が、それぞれ、摺動可能に上記らの摺動槽３２１内に設置されることが、異なり、これにより、前記より良い実施例と同じ効果が得られ、また、上記昇降ユニット３０が、より安定的に上記カラーレンズ４０の位置を調整でき、そのため、上記カラーレンズ４０が、動揺し難くなる。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案のより良い実施例の立体図
【図２】本考案のより良い実施例の分解図
【図３】本考案のより良い実施例の横方向断面図
【図４】本考案のより良い実施例の横方向断面の作動概念図
【図５】本考案のより良い実施例の綜向断面の作動概念図
【図６】本考案の他のより良い実施例の立体図
【符号の説明】
【００２３】
１０  灯座
１００  灯具の色温度変化構造
１１  正面
１２  裏面
１３  反射槽
１３１  開口
１４  固定孔
２０  発光源
３０  昇降ユニット
３１  固定フレーム
３２  駆動部材
３２１  摺動槽
３３  昇降棒
３３１  係止槽
３４  挟みシート
３４１  係止リング
３５  枠
４０  カラーレンズ
５０  凸レンズ
【図１】
0003180776.tif 000003
【図２】
0003180776.tif 000004
【図３】
0003180776.tif 000005
【図４】
0003180776.tif 000006
【図５】
0003180776.tif 000007
【図６】
0003180776.tif 000008